(57)【要約】【課題】表示部に対する電力供給を効率的に制御することができる表示装置を提供する。【解決手段】画像を表示する表示部と、人を検出する人検出部と、前記人検出部により前記人を検出した場合に前記人を撮像する撮像部と、前記撮像部により撮像された前記人の画像に基づいて、前記人の視線の方向を判定する視線判定部と、前記視線判定部による判定結果に基づいて、前記表示部に対する電力供給を制御する電力供給制御部とを備える。【選択図】図２
2011247935.tif 000002
【特許請求の範囲】
【請求項１】
画像を表示する表示部と、
人を検出する人検出部と、
前記人検出部により前記人を検出した場合に前記人を撮像する撮像部と、
前記撮像部により撮像された前記人の画像に基づいて、前記人の視線の方向を判定する視線判定部と、
前記視線判定部による判定結果に基づいて、前記表示部に対する電力供給を制御する電力供給制御部と
を備えることを特徴とする表示装置。
【請求項２】
前記視線判定部は、前記視線の方向が前記表示部を向いているか否かを判定し、
前記電力供給制御部は、前記視線判定部により前記視線の方向が前記表示部を向いていないと判定された場合に前記表示部の輝度を前記所定の輝度より下げるように電力供給を行うことを特徴とする請求項１記載の表示装置。
【請求項３】
前記視線判定部は、前記視線の方向が前記表示部を向いているか否かを判定し、
前記電力供給制御部は、前記視線判定部により前記視線の方向が前記表示部を向いていると判定された場合に、前記表示部に対して前記画像を所定の輝度で表示するように電力供給を行うことを特徴とする請求項１記載の表示装置。
【請求項４】
前記電力供給制御部は、前記人検出部により前記人が検出されない場合に前記画像を表示する表示部における表示に関連する電力供給のうち少なくとも一部を停止することを特徴とする請求項１〜３の何れか一項に記載の表示装置。
【請求項５】
前記視線判定部は、前記人検出部により前記人が検出された場合には前記視線の方向の判定を第１の頻度で行い、前記視線の方向が前記表示部を向いていると判定した場合には、前記視線の方向の判定を前記第１の頻度よりも小さい第２の頻度で行うことを特徴とする請求項１〜４の何れか一項に記載の表示装置。
【請求項６】
前記人検出部により前記人が検出された場合には、前記視線判定部は前記視線の方向の判定を周期的に行うことを特徴とする請求項１〜４の何れか一項に記載の表示装置。
【請求項７】
前記人検出部は、焦電センサまたはマイクを含むことを特徴とする請求項１〜６の何れか一項に記載の表示装置。
【請求項８】
人検出部により人を検出する人検出ステップと、
前記人検出ステップにより前記人を検出した場合に、撮像部により前記人を撮像する撮像ステップと、
前記撮像ステップにより撮像された前記人の画像に基づいて前記人の視線の方向を判定する視線判定ステップと、
前記視線判定ステップによる判定結果に基づいて画像を表示する表示部に対する電力供給を制御する制御ステップと
を含むことを特徴とする表示装置の電力供給制御方法。
【発明の詳細な説明】
【技術分野】
【０００１】
本発明は、表示装置に関するものである。
【背景技術】
【０００２】
従来、カメラにより撮像された画像に基づいて鑑賞者の顔の向きが表示部を向いていることを検出するデジタルフォトフレームが存在する（例えば、特許文献１参照）。このデジタルフォトフレームは、検出結果に基づいて表示部に対する電力供給を制御する。
【先行技術文献】
【特許文献】
【０００３】
【特許文献１】特開２００９−１４１６７８号公報
【発明の概要】
【発明が解決しようとする課題】
【０００４】
しかしながら、上述のデジタルフォトフレームにおいては、鑑賞者の顔が表示部を向いていることを検出した場合には、視線の方向が表示部を向いていない場合でも表示部に画像を表示するため、表示部に対する電力供給を効率的に行うことができなかった。
【０００５】
本発明の目的は、表示部に対する電力供給を効率的に制御することができる表示装置を提供することである。
【課題を解決するための手段】
【０００６】
本発明の表示装置は、画像を表示する表示部と、人を検出する人検出部と、前記人検出部により前記人を検出した場合に前記人を撮像する撮像部と、前記撮像部により撮像された前記人の画像に基づいて、前記人の視線の方向を判定する視線判定部と、前記視線判定部による判定結果に基づいて、前記表示部に対する電力供給を制御する電力供給制御部とを備えることを特徴とする。
【０００７】
また、本発明の表示装置の電力供給制御方法は、人検出部により人を検出する人検出ステップと、前記人検出ステップにより前記人を検出した場合に、撮像部により前記人を撮像する撮像ステップと、前記撮像ステップにより撮像された前記人の画像に基づいて前記人の視線の方向を判定する視線判定ステップと、前記視線判定ステップによる判定結果に基づいて画像を表示する表示部に対する電力供給を制御する制御ステップとを含むことを特徴とする。
【発明の効果】
【０００８】
本発明によれば、表示部に対する電力供給を効率的に制御することができる。
【図面の簡単な説明】
【０００９】
【図１】実施の形態に係るデジタルフォトフレームの前面を示す斜視図である。
【図２】実施の形態に係るデジタルフォトフレームのシステム構成を示すブロック図である。
【図３】実施の形態に係るデジタルフォトフレームの表示処理を説明するタイムチャートである。
【図４】実施の形態に係るデジタルフォトフレームの表示処理を説明するタイムチャートである。
【発明を実施するための形態】
【００１０】
以下、図面を参照して本発明の実施の形態に係る表示装置であるデジタルフォトフレーム（以下、ＤＰＦという。）について説明する。なお、一般に、ＤＰＦとしては机等の上に立て掛けて設置するものや、壁に掛けて設置するもの等が存在するが、本発明の実施の形態においては、机等に立て掛けて設置するもの（電子写真立て）を例にして説明する。
【００１１】
図１は、本発明の実施の形態に係るＤＰＦの外観を示す斜視図である。ＤＰＦ２は、ガラスやプラスチック等からなる装置本体４を備え、装置本体４の前面には、鑑賞用の画像や時刻等の情報が表示されるＬＣＤ（Liquid Crystal Display）パネル６、ＤＰＦ２の周囲の音を取得するマイク８、ＤＰＦ２の前方の所定の範囲内の人を検出する焦電センサ９、人を撮像するカメラ１０、音楽や音声が出力されるスピーカ１２及び図示しないＤＰＦ２の操作用リモコンから出力される赤外線を検出する赤外線検出部１４が設けられている。ここで、マイク８は、装置本体４の前面上端の両側部、焦電センサ９は、装置本体４の前面上端の中央部、カメラ１０は、装置本体４の前面上端の中央部の右側、スピーカ１２は、前面下端の両側部、赤外線検出部１４は、前面下端の中央部に配置されている。
【００１２】
焦電センサ９は、人が発生する赤外線を検出する赤外線センサおよびフレネルレンズを有しＤＰＦ２の周囲に人が存在するか否かを検出するためのセンサであり、人が発生する赤外線の受光に応答して、増幅させた検出信号をＣＰＵ３０（図２参照）に出力する構成を有する。例えば、ＤＰＦ２からの距離が１ｍ程度内の表示面側に位置する人から放射される赤外線を検出可能な構成とする。また、装置本体４の上面には、ＤＰＦ２の電源のオン／オフ状態を切り替える電源スイッチ１５、ＤＰＦ２の機能設定やＬＣＤパネル６の表示設定の際に使用する操作キー１６が設けられている。また、装置本体４の一方の側面には、画像や音楽等のデータが記憶されたメモリカードが挿入されるメモリカードスロット１８、ＵＳＢケーブルの端子等が接続されるＵＳＢポート２０及びイーサネット（登録商標）規格等のネットワークケーブルが接続されるネットワーク端子２２が設けられている。
【００１３】
図２は、実施の形態に係るＤＰＦ２のシステム構成を示すブロック図である。ＤＰＦ２の各部を統括的に制御するＣＰＵ３０には、上述のマイク８、焦電センサ９、カメラ１０、赤外線検出部１４、電源スイッチ１５、操作キー１６、メモリカードスロット１８、ＵＳＢポート２０及びネットワーク端子２２が接続されている。また、画像や音楽等のデータが記憶される内部メモリ３２、カメラ１０から出力された撮像信号から生成された画像データ及びマイク８により取得した音声データが一時的に記憶されるバッファメモリ３３が接続されている。
【００１４】
また、ＣＰＵ３０には、ＬＣＤパネル６に表示される画像や情報等の表示制御を行う表示制御部３４、スピーカ１２から出力される音楽や音声の再生制御を行う再生制御部３６及びバッテリ（電源）４０からの電力供給を制御する電力供給制御部４２が接続されている。ＬＣＤパネル６は、液晶パネル６ａ及び液晶パネル６ａを駆動する駆動回路等により構成されており、表示制御部３４から供給された画像信号に対応する画像を表示するようになっている。なお、ＣＰＵ３０は、内部メモリ３２等に記憶されているプログラムに従って図示しないタイマーの計測値に基づいて後述する人の視線の判定等を所定の頻度や所定の周期（一定時間間隔）で行うことができる。
【００１５】
ＬＣＤパネル６を構成する液晶パネル６ａは、画面の各画素に対応して、Ｒ（赤）、Ｇ（緑）、Ｂ（青）にそれぞれ着色されたカラーフィルタが配置されている。映像信号に含まれる各画素のＲ、Ｇ、Ｂの色相成分それぞれの輝度値に応じた電圧が、液晶パネル６ａの各画素のＲ、Ｇ、Ｂに対応する液晶に印加される。これによって液晶分子の配向が制御されて液晶に対する照射光の透過率が調節される。光源としてのＬＥＤ（Light Emitting Diode）を備えて構成されたバックライト部６ｂは、ＬＣＤパネル６の液晶パネル６ａをその背面から照射するバックライトである。ここで、バックライト部６ｂは、バックライト駆動部６ｃから供給される電流の大きさに応じた輝度で発光する。バックライト駆動部６ｃは、ＣＰＵ３０の指示に応じて、バッテリ４０からバックライト用ＬＥＤへの電力供給の実行と停止を調節する。また、バックライト駆動部６ｃは、ＣＰＵ３０からの指示に応じて、バッテリ４０からバックライト用ＬＥＤに供給される電流の大きさを調節する。
【００１６】
次に、図３に示すタイムチャートを参照して、本発明の実施の形態に係るＤＰＦ２の表示処理について説明する。なお、本発明の実施の形態においては、ＤＰＦ２のＬＣＤパネル６において、人の視線がＬＣＤパネル６の方向を向いている場合に内部メモリ３２から読み出した静止画の画像データを用いたスライドショー表示を行うものとする。操作者が電源スイッチ１５を操作して、ＤＰＦ２の電源をオンにすると、ＣＰＵ３０は、焦電センサ９にＤＰＦ２の前方の所定の範囲内の人の検出を開始させる（焦電センサＯＮ）。ＣＰＵ３０は、焦電センサ９からの出力により人が検出されたか否かを判定し、ＣＰＵ３０は、人が検出された場合にカメラ１０にＤＰＦ２の前方の所定の範囲内の人の撮像を開始させる（カメラＯＮ）。ここでカメラ１０は、例えば、毎秒２フレームで撮像および画像データの出力を行う。また、ＣＰＵ３０は、毎秒２フレームでカメラ１０から出力される画像データに基づいて画像データに含まれる人の視線の方向の判定を行う。具体的には、ＣＰＵ３０は、カメラ１０から出力され一時的にバッファメモリ３３に記憶されている画像データにおける人の顔の輪郭形状に基づいて人の顔の向きがＬＣＤパネル６を向いているか否かを検出し、人の顔の向きがＬＣＤパネル６を向いていることが検出されると、その画像データにおける人の目の領域及び瞳の位置に基づいて、人の視線の方向がＬＣＤパネル６を向いているか否かを判定する。ここで、ＣＰＵ３０は、人の視線の方向がＬＣＤパネル６を向いている画像データが所定のフレーム数（例えば、７フレーム）以上連続している場合に、人の視線の方向がＬＣＤパネル６を向いていると判定する。ＣＰＵ３０による判定は、人の視線の方向がＬＣＤパネル６を向いていると判定されるまで所定の頻度（例えば、毎秒２回）で連続して行われる。
【００１７】
ＣＰＵ３０は、人の視線の方向がＬＣＤパネル６を向いていると判定すると、電力供給制御部４２に、ＬＣＤパネル６が所定の輝度となるようにＬＣＤパネル６のバックライト駆動部６ｃを介したバックライト部６ｂに対する電力供給を制御させ、表示制御部３４に指示しＬＣＤパネル６において画像の表示を行う。即ち、内部メモリ３２に記憶されている画像データの画像を用いてＬＣＤパネル６において所定の輝度でスライドショー表示を行う（画像の表示ＯＮ）。そして、ＬＣＤパネル６において画像の表示を開始すると、ＣＰＵ３０は、カメラ１０による撮像を一定時間間隔の撮像に切り替え、人の視線の方向の判定を周期的（一定時間間隔）な判定に切り替える。なお、この場合に行う撮像は、毎秒２フレームよりも頻度を下げた撮像としてもよい。例えば、ＣＰＵ３０は、カメラ１０による５秒毎に２回の撮像を所定時間行い所定時間内に１０フレームの撮像を行う。そして、ＣＰＵ３０は、１０フレームの画像データの中に所定のフレーム数（例えば、５フレーム）以上、人の視線の方向がＬＣＤパネル６を向いている画像データが連続的に含まれている場合に、人の視線の方向がＬＣＤパネル６を向いていると判定する。ここで、ＣＰＵ３０は、人の視線の方向がＬＣＤパネル６を向いていると判定すると、ＬＣＤパネル６に画像を表示し続けるよう制御する。一方、人の視線の方向がＬＣＤパネル６を向いていないと判定すると、ＣＰＵ３０は電力供給制御部４２によりＬＣＤパネル６における表示に関連する電力供給を停止するように制御し、ＬＣＤパネル６を消灯させる。
【００１８】
また、ＣＰＵ３０は、ＬＣＤパネル６を消灯させると、カメラ１０による撮像を連続的な撮像に切り替え上述と同様に人の視線の方向の判定を所定の頻度で連続的に行う。なお、ＣＰＵ３０による視線の方向の判定は、カメラ１０による撮像期間中継続して行われる。
【００１９】
また、焦電センサ９により人が検出されなくなった場合には、電力供給制御部４２によるカメラ１０に対する電力供給を中止してＣＰＵ３０による人の視線の方向の判定を中止する。この場合においても電力供給制御部４２による焦電センサ９に対する電力供給は継続され焦電センサ９による人の検出を行う。そして、操作者が電源スイッチ１５を操作して、ＤＰＦ２の電源をオフにすると、焦電センサ９による検出を中止する。
【００２０】
本発明の実施の形態に係る表示装置によれば、表示装置の前方の所定の範囲内にいる人の視線の方向に基づいて、表示部に対する電力供給を制御することができるため、視線の方向が表示部を向いている場合に、表示部に画像を表示することができる。従って、表示部に対する電力供給を効率的に制御することができる。また、表示装置の前方の所定の範囲内に人がいない場合には、人の視線の方向の判定のためのカメラによる撮像を行わないため、カメラから出力された画像データにより、メモリを無駄に消費することを防止することができる。また、表示装置の前方の所定の範囲内に人がいない場合に焦電センサにより人の検出を行いカメラによる撮像を行わないため、焦電センサの消費電力がカメラの消費電力よりも小さい場合に効率がよい。
【００２１】
なお、上述の実施の形態においては、ＬＣＤパネル６に画像が表示されている場合に、ＣＰＵ３０が、人の視線の方向がＬＣＤパネル６を向いていないと判定すると、ＬＣＤパネル６のバックライト部６ｂに対する電力供給を中止してＬＣＤパネル６を消灯しているが、電力供給制御部４２によりバックライト部６ｂに対する電力供給を制御してＬＣＤパネル６の輝度を通常表示時の所定の輝度より下げるようにしてもよい。この場合には、ＣＰＵ３０は、人の視線の方向がＬＣＤパネル６を向いていると判定すると、電力供給制御部４２によりバックライト部６ｂに対する電力供給を制御してＬＣＤパネル６に表示される輝度を所定の輝度に戻すようにする。また、焦電センサ９により人が検出されない場合には、電力供給制御部４２によりＬＣＤパネル６における表示に関連する電力供給のうちバックライト部６ｂに対する電力供給を停止し、ＬＣＤパネル６を消灯するようにしてもよい。
【００２２】
また、上述の実施の形態において焦電センサ９により人が検出され、カメラ１０による撮像が開始された場合には、焦電センサ９による検出を止め、カメラ１０から出力された画像データに基づいて人の顔の大きさを検出し、検出された顔の大きさに基づいてＬＣＤパネル６の前方の所定の範囲内に人がいるか否かを判定し、所定の範囲内に人がいないと判定された場合には、電力供給制御部４２によりバックライト部６ｂに対する電力供給を停止しＬＣＤパネル６を消灯してもよい。
【００２３】
また、上述の実施の形態においては、焦電センサ９により人を検出した場合及びＬＣＤパネル６を消灯した場合に、ＣＰＵ３０による視線の方向の判定を所定の頻度で連続して行っているが、所定の周期（一定時間間隔）で行ってもよい。この場合には、図４に示すように、焦電センサ９により人が検出されると、ＣＰＵ３０は、上述の実施の形態で行われる周期的（一定時間間隔）な人の視線の方向の判定と同様に、カメラ１０による５秒毎に２回の撮像を所定時間行い所定時間内に１０フレームの撮像を行う（カメラＯＮ）。また、ＣＰＵ３０は、１０フレームの画像データに基づいて人の視線の方向の判定を判定し、人の視線の方向がＬＣＤパネル６を向いていると判定すると、電力供給制御部４２によりバックライト部６ｂに対する電力供給を制御して、内部メモリ３２に記憶されている画像データの画像を所定の輝度でＬＣＤパネル６に表示する（画像の表示ＯＮ）。また、ＬＣＤパネル６に画像を表示している場合に、人の視線の方向がＬＣＤパネル６を向いていないと判定すると、電力供給制御部４２によりバックライト部６ｂに対する電力供給を停止しＬＣＤパネル６を消灯する。この場合においても、焦電センサ９により人を検出している間は、カメラ１０による撮像が所定時間間隔で行われ、周期的（一定時間間隔）な人の視線の方向の判定を繰り返し行う。
【００２４】
また、上述の実施の形態においては、ＤＰＦ２の前方の所定の範囲内の人を検出するために焦電センサ９を用いているが、マイク８を用いてもよい。この場合には、ＣＰＵ３０は、マイク８により取得されたＤＰＦ２の周囲の音が所定のレベル以上であれば、ＤＰＦ２の前方の所定の範囲内に人がいると判定する。
【００２５】
また、上述の実施の形態においては、ＬＣＤパネル６においてスライドショー表示を行う際にＬＣＤパネル６のバックライト部６ｂに対する電力供給を制御しているが、動画を表示する際にＬＣＤパネル６のバックライト部６ｂに対する電力供給を制御するようにしてもよい。
【００２６】
また、上述の実施の形態においては、ＬＣＤパネル６のバックライト部６ｂに対する電力供給を制御しているが、バックライト部６ｂに対する電力供給の制御に限定されるものではなく、プラズマディスプレイパネル、有機ＥＬ（Electro Luminescence）ディスプレイに対する電力供給を制御するようにしてもよい。またＬＣＤパネル、プラズマディスプレイパネル、有機ＥＬディスプレイの表示素子の表示輝度の制御、電力供給のＯＮ／ＯＦＦを制御するようにしてもよい。
【００２７】
また、上述の実施の形態においてバッテリ４０に代えて、商用電源を電力源としてＬＣＤパネル６のバックライト駆動部６ｃを介してバックライト部６ｂに電力を供給するようにしてもよい。
【符号の説明】
【００２８】
６…ＬＣＤパネル、６ａ…液晶パネル、６ｂ…バックライト部、６ｃ…バックライト駆動部、８…マイク、９…焦電センサ、１０…カメラ、３０…ＣＰＵ、４２…電力供給制御部。
【図１】
2011247935.tif 000003
【図２】
2011247935.tif 000004
【図３】
2011247935.tif 000005
【図４】
2011247935.tif 000006